(57)【要約】      （修正有）【課題】携帯電子デバイスの測位環境によって測位精度が十分に得られない場合にも測位精度の低下を防止する方法および装置を提供する【解決手段】位置、ナビゲーション、及び／又は他の同様な情報及び／又はサービス（例：カメラ、マイクロホン、衛星測位システム等）が、携帯用電子デバイスのユーザの近くにある、人間可読情報を具備する１つ又は複数の可視環境特徴に対応するセンサリー入力情報(例:画像、音声、テキストのメタデータ等）に少なくとも部分的に基づいて、ユーザに提供することによって携帯電子デバイスの測位精度の低下を防止する。【選択図】図４
2014240836.tif 000002
【特許請求の範囲】
【請求項１】
携帯用電子デバイスを用いて、
前記携帯用電子デバイスの位置における、あるいはその近くの、少なくとも１つの可視環境特徴に対応するセンサリー入力情報を表わす１つ又は複数の電子信号を得ることと、ここにおいて前記少なくとも１つの可視環境特徴は、人間可読情報を具備する；
ローカル・マップ情報を表わす１つ又は複数の電子信号を得ることと、前記ローカル・マップ情報は、前記センサリー入力情報に少なくとも部分的に基づいている；
前記ローカル・マップ情報に少なくとも部分的に基づいて、位置及び／又はナビゲーション情報を表わす１つ又は複数の電子信号を得ることと；
を具備する方法。
【請求項２】
前記携帯用電子デバイスは、カメラを具備し、前記センサリー入力情報を表わす前記１つ又は複数の電子信号を得ることは、前記カメラを使用して前記センサリー入力情報の少なくとも一部を得ることを更に具備する、請求項１に記載の方法。
【請求項３】
前記携帯用電子デバイスは、マイクロホンを具備し、前記センサリー入力情報を表わす前記１つ又は複数の電子信号を得ることは、前記マイクロホンを使用して前記センサリー入力情報の少なくとも一部を得ることを更に具備する、請求項１に記載の方法。
【請求項４】
前記センサリー入力情報は、記録された画像情報及び／又は記録された音声情報のうちの少なくとも１つを具備し、前記センサリー入力情報を表わす前記１つ又は複数の電子信号を得ることは、
前記記録された画像情報及び／又は前記記録された音声情報のうちの少なくとも１つに、少なくとも部分的に基づいて、テキストのメタデータを決定することと、
前記テキストのメタデータに少なくとも部分的に基づいて、前記センサリー入力情報を表わす前記１つ又は複数の電子信号を生成することと、
を更に具備する、請求項１に記載の方法。
【請求項５】
前記テキストのメタデータに少なくとも部分的に基づいて、前記センサリー入力情報を表わす前記１つ又は複数の電子信号を生成することは、
通信ネットワークを介して、前記テキストのメタデータの少なくとも一部を表わす１つ又は複数の電子信号を送信することと、
前記通信ネットワークを介して、前記テキストのメタデータに少なくとも部分的に基づいて、前記センサリー入力情報を表わす前記１つ又は複数の電子信号の少なくとも一部を受信することと、
を具備する、請求項４に記載の方法。
【請求項６】
前記センサリー入力情報を表わす前記１つ又は複数の電子信号を得ることは、
通信ネットワークを介して、記録された画像情報及び／又は記録された音声情報のうちの少なくとも１つを表わす、１つ又は複数の電子信号を送信することと、
前記通信ネットワークを介して、前記ローカル・マップ情報を表わす前記１つ又は複数の電子信号の少なくとも一部を受信することと、
を具備する、請求項１に記載の方法。
【請求項７】
前記ローカル・マップ情報を表わす前記１つ又は複数の電子信号を得ることは、通信ネットワークを介して、前記ローカル・マップ情報を表わす前記１つ又は複数の電子信号の少なくとも一部を受信することを具備する、請求項１に記載の方法。
【請求項８】
前記位置及び／又はナビゲーション情報を表わす前記１つ又は複数の電子信号を得ることは、通信ネットワークを介して、前記位置及び／又はナビゲーション情報を表わす前記１つ又は複数の電子信号の少なくとも一部を受信することを具備する、請求項１に記載の方法。
【請求項９】
ローカル・マップ情報を表わす前記１つ又は複数の電子信号を得ることは、
前記携帯用電子デバイスと関連する推定された位置情報に少なくとも部分的に基づいて、ローカル・マップ情報を表わす前記１つ又は複数の電子信号を得ることを具備する、請求項１に記載の方法。
【請求項１０】
前記携帯用電子デバイスと関連する前記推定された位置情報は、１つ又は複数の衛星測位システム（ＳＰＳ）信号に少なくとも部分的に基づく、請求項９に記載の方法。
【請求項１１】
前記携帯用電子デバイスの位置における、あるいはその近くの、少なくとも１つの可視環境特徴に対応するセンサリー入力情報を得るための手段と、ここにおいて前記少なくとも１つの可視環境特徴は、人間可読情報を具備する；
ローカル・マップ情報を得るための手段と、前記ローカル・マップ情報は、前記センサリー入力情報に少なくとも部分的に基づいている；
前記ローカル・マップ情報に少なくとも部分的に基づいて、位置及び／又はナビゲーション情報を得るための手段と；
を具備する装置。
【請求項１２】
画像情報を記録するための手段を更に具備し、ここにおいて前記センサリー入力情報の少なくとも一部は、前記画像情報を具備する、
請求項１１に記載の装置。
【請求項１３】
音声情報を記録するための手段を更に具備し、ここにおいて前記センサリー入力情報の少なくとも一部は、前記音声情報を具備する、
請求項１１に記載の装置。
【請求項１４】
画像情報及び／又は音声情報のうちの少なくとも１つに、少なくとも部分的に基づいて、テキストのメタデータを決定するための手段と、
前記テキストのメタデータに少なくとも部分的に基づいて、前記センサリー入力情報を生成するための手段と、
を更に具備する、請求項１１に記載の装置。
【請求項１５】
通信ネットワークを介して、前記テキストのメタデータの少なくとも一部を送信するための手段と、
前記通信ネットワークを介して、前記テキストのメタデータに少なくとも部分的に基づいて、前記センサリー入力情報の少なくとも一部を受信するための手段と、
を更に具備する、請求項１４に記載の装置。
【請求項１６】
通信ネットワークを介して、画像情報及び／又は音声情報のうちの少なくとも１つを送信するための手段と、
前記通信ネットワークを介して、前記ローカル・マップ情報の少なくとも一部を受信するための手段と、
を更に具備する、請求項１１に記載の装置。
【請求項１７】
通信ネットワークを介して、前記ローカル・マップ情報の少なくとも一部を受信するための手段、
を更に具備する、請求項１１に記載の装置。
【請求項１８】
通信ネットワークを介して、前記位置及び／又はナビゲーション情報の少なくとも一部を受信するための手段、
を更に具備する、請求項１１に記載の装置。
【請求項１９】
１つ又は複数の衛星測位システム（ＳＰＳ）信号に少なくとも部分的に基づいて、前記携帯用電子デバイスと関連する推定された位置情報を決定するための手段、
を更に具備する、請求項１１に記載の装置。
【請求項２０】
通信ネットワークを介して、前記推定された位置情報を送信するための手段、
を更に具備する、請求項１９に記載の装置。
【請求項２１】
携帯用電子デバイスであって、
メモリと、
前記メモリに結合される少なくとも１つのユーザ・インタフェース機構と、
前記携帯用電子デバイスの位置における、あるいはその近くの、少なくとも１つの可視環境特徴に対応するセンサリー入力情報を得るための命令と、ここにおいて前記少なくとも１つの可視環境特徴は、人間可読情報を具備する；
ローカル・マップ情報を得るための命令と、前記ローカル・マップ情報は、前記センサリー入力情報に少なくとも部分的に基づいている；
前記ローカル・マップ情報に少なくとも部分的に基づいて、位置及び／又はナビゲーション情報を得るための命令と；
前記ユーザ・インタフェース機構を介して、前記位置及び／又はナビゲーション情報の少なくとも一部のプレゼンテーションを開始するための命令と；
を用いてプログラムされ、前記ユーザ・インタフェース機構と前記メモリに結合される少なくとも１つの処理ユニットと、
を具備する、携帯用電子デバイス。
【請求項２２】
前記メモリ及び／又は前記少なくとも１つの処理ユニットのうちの少なくとも１つに結合されるカメラを更に具備し、前記少なくとも１つの処理ユニットは、前記カメラに画像情報を記録することを開始させる前記命令を用いて更にプログラムされ、ここにおいて前記センサリー入力情報は、前記画像情報の少なくとも一部を具備する、
請求項２１に記載の携帯用電子デバイス。
【請求項２３】
前記メモリ及び／又は前記少なくとも１つの処理ユニットのうちの少なくとも１つに結合されるマイクロホンを更に具備し、前記少なくとも１つの処理ユニットは、前記マイクロホンに音声情報を記録することを開始させる前記命令を用いて更にプログラムされ、ここにおいて前記センサリー入力情報は、前記音声情報の少なくとも一部を具備する、
請求項２１に記載の携帯用電子デバイス。
【請求項２４】
前記センサリー入力情報は、記録された画像情報及び／又は記録された音声情報のうちの少なくとも１つを具備し、前記少なくとも１つの処理ユニットは、
前記記録された画像情報及び／又は前記記録された音声情報のうちの少なくとも１つに、少なくとも部分的に基づいて、テキストのメタデータを決定するための前記命令と、
前記テキストのメタデータに少なくとも部分的に基づいて、前記センサリー入力情報を生成するための前記命令と、
を用いて更にプログラムされる、請求項２１に記載の携帯用電子デバイス。
【請求項２５】
前記メモリ及び／又は前記少なくとも１つの処理ユニットのうちの少なくとも１つに結合されるネットワーク・インタフェースを更に具備し、
ここにおいて、前記少なくとも１つの処理ユニットは、前記ネットワーク・インタフェースに、通信ネットワークを介して、前記テキストのメタデータの少なくとも一部を送信することを開始させる前記命令を用いて更にプログラムされ、
ここにおいて、前記ネットワーク・インタフェースは、前記通信ネットワークを介して、前記テキストのメタデータに少なくとも部分的に基づいて、前記センサリー入力情報の少なくとも一部を受信する、
請求項２４に記載の携帯用電子デバイス。
【請求項２６】
前記メモリ及び／又は前記少なくとも１つの処理ユニットのうちの少なくとも１つに結合されるネットワーク・インタフェースを更に具備し、
ここにおいて、前記少なくとも１つの処理ユニットは、ネットワーク・インタフェースに、通信ネットワークを介して、記録された画像情報及び／又は記録された音声情報のうちの少なくとも１つを送信することを開始させる前記命令を用いて更にプログラムされ、
ここにおいて、前記ネットワーク・インタフェースは、前記通信ネットワークを介して、前記ローカル・マップ情報の少なくとも一部を受信する、
請求項２１に記載の携帯用電子デバイス。
【請求項２７】
前記メモリ及び／又は前記少なくとも１つの処理ユニットのうちの少なくとも１つに結合されるネットワーク・インタフェースを更に具備し、前記ネットワーク・インタフェースは、通信ネットワークを介して、前記ローカル・マップ情報の少なくとも一部を受信するためのものである、
請求項２１に記載の携帯用電子デバイス。
【請求項２８】
前記メモリ及び／又は前記少なくとも１つの処理ユニットのうちの少なくとも１つに結合されるネットワーク・インタフェースを更に具備し、前記ネットワーク・インタフェースは、通信ネットワークを介して、前記位置及び／又はナビゲーション情報の少なくとも一部を受信するためのものである、
請求項２１に記載の携帯用電子デバイス。
【請求項２９】
前記メモリ及び／又は前記少なくとも１つの処理ユニットのうちの少なくとも１つに結合される衛星測位システム（ＳＰＳ）受信機を更に具備し、前記ＳＰＳ受信機は、１つ又は複数のＳＰＳ信号に少なくとも部分的に基づいて、前記携帯用電子デバイスの推定された位置情報を決定するためのものである、
請求項２１に記載の携帯用電子デバイス。
【請求項３０】
前記携帯用電子デバイスは、移動局を具備する、請求項２１に記載の携帯用電子デバイス。
【請求項３１】
コンピュータ・インプリメント可能な命令をその上に記憶するコンピュータ可読媒体を具備する物品であって、前記命令は、携帯用電子デバイス中の１つ又は複数の処理ユニットによって実行されることに応じて、前記携帯用電子デバイスに、
前記携帯用電子デバイスの位置における、あるいはその近くの、少なくとも１つの可視環境特徴に対応するセンサリー入力情報を得ることと、ここにおいて前記少なくとも１つの可視環境特徴は、人間可読情報を具備する；
ローカル・マップ情報を得ることと、前記ローカル・マップ情報は、前記センサリー入力情報に少なくとも部分的に基づいている；
前記ローカル・マップ情報に少なくとも部分的に基づいて、位置及び／又はナビゲーション情報を得ることと；
を可能にする、物品。
【請求項３２】
前記センサリー入力情報の少なくとも一部は、画像情報を具備し、前記コンピュータ・インプリメント可能な命令は、前記携帯用電子デバイス中の前記１つ又は複数の処理ユニットによって実行されることに応じて、前記携帯用電子デバイスに前記画像情報を記録することを更に可能にする、請求項３１に記載の物品。
【請求項３３】
前記センサリー入力情報の少なくとも一部は、音声情報を具備し、前記コンピュータ・インプリメント可能な命令は、前記携帯用電子デバイス中の前記１つ又は複数の処理ユニットによって実行されることに応じて、前記携帯用電子デバイスに前記音声情報を記録することを更に可能にする、請求項３１に記載の物品。
【請求項３４】
前記コンピュータ・インプリメント可能な命令は、前記携帯用電子デバイス中の前記１つ又は複数の処理ユニットによって実行されることに応じて、前記携帯用電子デバイスに、
画像情報及び／又は音声情報のうちの少なくとも１つに、少なくとも部分的に基づいて、テキストのメタデータを決定することと、
前記テキストのメタデータに少なくとも部分的に基づいて、前記センサリー入力情報を生成することと、
を更に可能にする、請求項３１に記載の物品。
【請求項３５】
前記コンピュータ・インプリメント可能な命令は、前記携帯用電子デバイス中の前記１つ又は複数の処理ユニットによって実行されることに応じて、前記携帯用電子デバイスに、
通信ネットワークを介して、前記テキストのメタデータの少なくとも一部の送信を開始することと、
前記通信ネットワークを介して得られる前記テキストのメタデータに少なくとも部分的に基づいて、前記センサリー入力情報の少なくとも一部にアクセスすることと、
を更に可能にする、請求項３４に記載の物品。
【請求項３６】
前記コンピュータ・インプリメント可能な命令は、前記携帯用電子デバイス中の前記１つ又は複数の処理ユニットによって実行されることに応じて、前記携帯用電子デバイスに、
通信ネットワークを介して、画像情報及び／又は音声情報のうちの少なくとも１つの送信を開始することと、
前記通信ネットワークを介して得られる前記ローカル・マップ情報の少なくとも一部にアクセスすることと、
を更に可能にする、請求項３１に記載の物品。
【請求項３７】
前記コンピュータ・インプリメント可能な命令は、前記携帯用電子デバイス中の前記１つ又は複数の処理ユニットによって実行されることに応じて、前記携帯用電子デバイスに、
通信ネットワークを介して得られる前記ローカル・マップ情報の少なくとも一部にアクセスすること、
を更に可能にする、請求項３１に記載の物品。
【請求項３８】
前記コンピュータ・インプリメント可能な命令は、前記携帯用電子デバイス中の前記１つ又は複数の処理ユニットによって実行されることに応じて、前記携帯用電子デバイスに、
通信ネットワークを介して得られる前記位置及び／又はナビゲーション情報の少なくとも一部にアクセスすること、
を更に可能にする、請求項３１に記載の物品。
【請求項３９】
前記コンピュータ・インプリメント可能な命令は、前記携帯用電子デバイス中の前記１つ又は複数の処理ユニットによって実行されることに応じて、前記携帯用電子デバイスに、
１つ又は複数の衛星測位システム（ＳＰＳ）信号に少なくとも部分的に基づいて得られる、前記携帯用電子デバイスと関連する推定された位置情報にアクセスすることと、
通信ネットワークを介して、前記推定された位置情報の送信を開始することと、
を更に可能にする、請求項３１に記載の物品。
【請求項４０】
前記コンピュータ・インプリメント可能な命令は、前記携帯用電子デバイス中の前記１つ又は複数の処理ユニットによって実行されることに応じて、前記携帯用電子デバイスに、
少なくとも１つのユーザ・インタフェース機構を介して、前記位置及び／又はナビゲーション情報の少なくとも一部のプレゼンテーションを開始すること、
を更に可能にする、請求項３１に記載の物品。
【請求項４１】
少なくとも１つのネットワーク・ベースの電子デバイスを用いて、
携帯用電子デバイスと関連するセンサリー入力情報を表わす１つ又は複数の電子信号を得ることと、前記センサリー入力情報は、前記携帯用電子デバイスの位置における、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得ることと；
通信ネットワークを介して、前記携帯用電子デバイスに前記ローカル・マップ情報の少なくとも一部を表わす１つ又は複数の電子信号を送信することと；
を具備する方法。
【請求項４２】
少なくとも１つのネットワーク・ベースの電子デバイスを用いて、
前記ローカル・マップ情報に少なくとも部分的に基づいて、位置及び／又はナビゲーション情報を得ることを更に具備し、
ここにおいて、前記ローカル・マップ情報の少なくとも一部を表わす前記１つ又は複数の電子信号は、前記位置及び／又はナビゲーション情報の少なくとも一部を更に具備する、
請求項４１に記載の方法。
【請求項４３】
前記センサリー入力情報は、記録された画像情報及び／又は記録された音声情報のうちの少なくとも１つを具備し、
少なくとも１つのネットワーク・ベースの電子デバイスを用いて、
前記記録された画像情報及び／又は前記記録された音声情報のうちの少なくとも１つに、少なくとも部分的に基づいて、テキストのメタデータを決定することと、
前記テキストのメタデータに少なくとも部分的に基づいて、前記ローカル・マップ情報を得ることと、
を更に具備する、請求項４１に記載の方法。
【請求項４４】
前記センサリー入力情報は、記録された画像情報及び／又は記録された音声情報のうちの少なくとも１つに、少なくとも部分的に基づいて、テキストのメタデータを具備する、請求項４１に記載の方法。
【請求項４５】
少なくとも１つのネットワーク・ベースの電子デバイスを用いて、
前記携帯用電子デバイスと関連する推定された位置情報を表わす１つ又は複数の電子信号を得ることと、
前記推定された位置情報に少なくとも部分的に基づいて、前記ローカル・マップ情報を得ることと、
を更に具備する、請求項４１に記載の方法。
【請求項４６】
前記携帯用電子デバイスと関連する前記推定された位置情報は、１つ又は複数の衛星測位システム（ＳＰＳ）信号に少なくとも部分的に基づく、請求項４５に記載の方法。
【請求項４７】
前記携帯用電子デバイスは、移動局を具備する、請求項４５に記載の方法。
【請求項４８】
携帯用電子デバイスと関連するセンサリー入力情報を表わす１つ又は複数の電子信号を得るための手段と、前記センサリー入力情報は、前記携帯用電子デバイスの位置における、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得るための手段と；
通信ネットワークを介して、前記携帯用電子デバイスに前記ローカル・マップ情報の少なくとも一部を表わす１つ又は複数の電子信号を送信するための手段と；
を具備する装置。
【請求項４９】
前記ローカル・マップ情報に少なくとも部分的に基づいて、位置及び／又はナビゲーション情報を得るための手段を更に具備し、
ここにおいて、前記ローカル・マップ情報の少なくとも一部を表わす前記１つ又は複数の電子信号は、前記位置及び／又はナビゲーション情報の少なくとも一部を更に具備する、
請求項４８に記載の装置。
【請求項５０】
前記センサリー入力情報は、記録された画像情報及び／又は記録された音声情報のうちの少なくとも１つを具備し、
前記記録された画像情報及び／又は前記記録された音声情報のうちの少なくとも１つに、少なくとも部分的に基づいて、テキストのメタデータを決定するための手段と、
前記テキストのメタデータに少なくとも部分的に基づいて、前記ローカル・マップ情報を得るための手段と、
を更に具備する請求項４８に記載の装置。
【請求項５１】
前記センサリー入力情報は、記録された画像情報及び／又は記録された音声情報のうちの少なくとも１つに、少なくとも部分的に基づいて、テキストのメタデータを具備する、請求項４８に記載の装置。
【請求項５２】
前記携帯用電子デバイスと関連する推定された位置情報を得るための手段と；
前記推定された位置情報に、少なくとも部分的に基づいて、前記ローカル・マップ情報を得るための手段と、
を更に具備する、請求項４８に記載の装置。
【請求項５３】
前記携帯用電子デバイスと関連する前記推定された位置情報は、１つ又は複数の衛星測位システム（ＳＰＳ）信号に少なくとも部分的に基づく、請求項５２に記載の装置。
【請求項５４】
前記携帯用電子デバイスは、移動局を具備する、請求項４８に記載の装置。
【請求項５５】
ネットワーク・ベースの電子デバイスであって、
メモリと、
ネットワーク・インタフェースと、
前記ネットワーク・インタフェースを介して受信される、携帯用電子デバイスと関連するセンサリー入力情報を得るための命令と、前記センサリー入力情報は、前記携帯用電子デバイスの位置における、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得るための命令と；
前記ネットワーク・インタフェースを介して、前記携帯用電子デバイスに前記ローカル・マップ情報の少なくとも一部の送信を開始するための命令と；
を用いてプログラムされ、前記ユーザ・インタフェースと前記メモリに結合される少なくとも１つの処理ユニットと、
を具備する、ネットワーク・ベースの電子デバイス。
【請求項５６】
前記少なくとも１つの処理ユニットは、
前記ローカル・マップ情報に少なくとも部分的に基づいて、位置及び／又はナビゲーション情報を得るための前記命令を用いて更にプログラムされ、
ここにおいて、前記ローカル・マップ情報の少なくとも一部を表わす前記１つ又は複数の電子信号は、前記位置及び／又はナビゲーション情報の少なくとも一部を更に具備する、
請求項５５に記載のネットワーク・ベースの電子デバイス。
【請求項５７】
前記センサリー入力情報は、記録された画像情報及び／又は記録された音声情報のうちの少なくとも１つを具備し、ここにおいて前記少なくとも１つの処理ユニットは、
前記記録された画像情報及び／又は前記記録された音声情報のうちの少なくとも１つに、少なくとも部分的に基づいて、テキストのメタデータを決定するための前記命令と；
前記テキストのメタデータに少なくとも部分的に基づいて、前記ローカル・マップ情報を得るための前記命令と；
を用いて更にプログラムされる、請求項５５に記載のネットワーク・ベースの電子デバイス。
【請求項５８】
前記センサリー入力情報は、記録された画像情報及び／又は記録された音声情報のうちの少なくとも１つに、少なくとも部分的に基づいて、テキストのメタデータを具備する、請求項５５に記載のネットワーク・ベースの電子デバイス。
【請求項５９】
前記少なくとも１つの処理ユニットは、
前記携帯用電子デバイスと関連する推定された位置情報を表わす１つ又は複数の電子信号を得るための前記命令と、
前記推定された位置情報に少なくとも部分的に基づいて、前記ローカル・マップ情報を得るための前記命令と、
を用いて更にプログラムされる、請求項５５に記載のネットワーク・ベースの電子デバイス。
【請求項６０】
前記携帯用電子デバイスと関連する前記推定された位置情報は、１つ又は複数の衛星測位システム（ＳＰＳ）信号に少なくとも部分的に基づく、請求項５９に記載のネットワーク・ベースの電子デバイス。
【請求項６１】
前記携帯用電子デバイスは、移動局を具備する、請求項５５に記載のネットワーク・ベースの電子デバイス。
【請求項６２】
コンピュータ・インプリメント可能な命令をその上に記憶するコンピュータ可読媒体を具備する物品であって、前記命令は、ネットワーク・ベースの電子デバイス中の１つ又は複数の処理ユニットによって実行されることに応じて、ネットワーク・ベースの電子デバイスに、
携帯用電子デバイスと関連するセンサリー入力情報を得ることと、前記センサリー入力情報は、前記携帯用電子デバイスにおける、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得ることと；
通信ネットワークを介して、前記携帯用電子デバイスに前記ローカル・マップ情報の少なくとも一部の送信を開始することと；
を可能にする、物品。
【請求項６３】
前記コンピュータ・インプリメント可能な命令は、前記ネットワーク・ベースの電子デバイス中の前記１つ又は複数の処理ユニットによって実行されることに応じて、前記ネットワーク・ベースの電子デバイスに、
前記ローカル・マップ情報に少なくとも部分的に基づいて、位置及び／又はナビゲーション情報を得ることを更に可能にし、
ここにおいて、前記ローカル・マップ情報の少なくとも一部は、前記位置及び／又はナビゲーション情報の少なくとも一部を更に具備する、
請求項６２に記載の物品。
【請求項６４】
前記センサリー入力情報は、記録された画像情報及び／又は記録された音声情報のうちの少なくとも１つを具備し、前記コンピュータ・インプリメント可能な命令は、前記ネットワーク・ベースの電子デバイス中の前記１つ又は複数の処理ユニットによって実行されることに応じて、前記ネットワーク・ベースの電子デバイスに、
前記記録された画像情報及び／又は前記記録された音声情報のうちの少なくとも１つに、少なくとも部分的に基づいて、テキストのメタデータを決定することと、
前記テキストのメタデータに少なくとも部分的に基づいて、前記ローカル・マップ情報を得ることと、
を更に可能にする、請求項６２に記載の物品。
【請求項６５】
前記センサリー入力情報は、記録された画像情報及び／又は記録された音声情報のうちの少なくとも１つに、少なくとも部分的に基づいて、テキストのメタデータを具備する、請求項６２に記載の物品。
【請求項６６】
前記コンピュータ・インプリメント可能な命令は、前記ネットワーク・ベースの電子デバイス中の前記１つ又は複数の処理ユニットによって実行されることに応じて、前記ネットワーク・ベースの電子デバイスに、
前記携帯用電子デバイスと関連する推定された位置情報を表わす１つ又は複数の電子信号を得ることと、
前記推定された位置情報に少なくとも部分的に基づいて、前記ローカル・マップ情報を得ることと、
を更に可能にする、請求項６２に記載の物品。
【請求項６７】
前記携帯用電子デバイスと関連する前記推定された位置情報は、１つ又は複数の衛星測位システム（ＳＰＳ）信号に少なくとも部分的に基づく、
請求項６６に記載の物品。
【請求項６８】
前記携帯用電子デバイスは、移動局を具備する、請求項６２に記載の物品。
【発明の詳細な説明】
【技術分野】
【０００１】
［関連出願］
本特許出願は、ここに参照によってその全体を組み込まれている同時係属中の仮米国特許出願番号第６１／１６０，２０８号（２００９年３月１３日に出願された「ローカル・マップ及び位置特有の注釈付きデータを提供するための人間援助型の方法」）に基づいて優先権を主張している。
【背景技術】
【０００２】
１．  技術分野
ここに開示される主題は、電子デバイスに関し、より詳細には、位置及び／又はナビゲーション(navigation)情報を得ることが可能なネットワーク・ベースのデバイス及び／又は携帯用電子デバイスにおける、及び／又はそれらを用いた使用のための方法及び装置に関する。
【０００３】
２．  情報
ワイヤレス通信システムは、デジタル情報界において、最も普及している技術のうちの１つに急速になりつつある。衛星及びセルラ電話サービス並びに他の同様なワイヤレス通信ネットワークは、既に地球全体に及びうる。加えて、様々なタイプ及びサイズの新しいワイヤレス・システム（例えば、ネットワーク）が、固定と携帯用の両方の極めて多い（plethora）デバイス間に接続性を提供するために日々加えられている。これらのワイヤレス・システムの多くは、更に多くの通信及び情報の共有を促進するために、他の通信システム及びリソースを通じて共に結合される。
【０００４】
別のポピュラー且つますます重要なワイヤレス技術は、ナビゲーション・システムを含み、特に、例えば、全地球測位システム（ＧＰＳ）及び他の同様な全地球型衛星航法システム（ＧＮＳＳ：Global Navigation Satellite Systems）などの、衛星測位システム（ＳＰＳ：satellite positioning system）を含む。ＳＰＳ使用可能デバイスは、例えば、ＧＮＳＳの軌道周回衛星及び／又は他の地球上ベースの送信デバイスによって送信されるワイヤレスＳＰＳ信号を受信することができる。受信されたＳＰＳ信号は、例えば、ＳＰＳ使用可能デバイスの位置、高度、及び／又は速度を推定するために処理されうる。
【０００５】
いくつかのデバイス及びシステムは、通信及びナビゲーションのシステム及びサービスを共に組み合わせる。したがって、例えば、セルラ電話デバイスはまた、位置とナビゲーションの情報及び／又はサービスを利用できる。この点でのますますポピュラーな１つのサービスは、独立方式か、あるいは他のネットワーク・ベースのデバイスからの援助を用いて動作する携帯用電子デバイスを通じて、ユーザにナビゲーション情報を提供することである。ここで、例えば、ユーザは、ユーザが特定の位置（例えば、アドレス）にナビゲートするのに役立つマップあるいは他の同様な方向情報を提供されうる。
【０００６】
残念なことに、有用な位置及び／又はナビゲーション情報を提供するために十分な精度をもってデバイスの位置を決定することが難しいときがありうる。例えば、ＳＰＳ信号の受信が不十分なときがありうる。その結果、このこと及び他の理由から、位置、ナビゲーション、及び／又は他の同様な情報及び／又はサービスが、ある状況の下でユーザに提供されることを可能にする技術を使用することは有益でありうる。
【発明の概要】
【０００７】
ある態様によると、方法及び装置が、携帯用電子デバイスの位置における、あるいはその近くの、少なくとも１つの可視環境特徴(visible environmental feature)に対応するセンサリー（sensory）入力情報を得るための携帯用電子デバイスでの使用のために提供される。可視環境特徴は、例えば、人間可読情報を含みうる。更に、ローカル・マップ情報(local map information)は、センサリー入力情報に少なくとも部分的に基づいて得られることができる。位置及び／又はナビゲーション情報はまた、ローカル・マップ情報に少なくとも部分的に基づいて得られることができる。例えば、あるインプリメンテーション（implementations）では、カメラ、マイクロホン、衛星測位システム（ＳＰＳ）受信機、及び／又は１つ又は複数センサーが、センサリー入力情報を生成するために使用されうる。
【０００８】
ある態様によると、方法及び装置は、携帯用電子デバイスと関連するセンサリー入力情報を得るための１つ又は複数のネットワーク・ベースの電子デバイスでの使用のために提供され、ここでセンサリー入力情報は、携帯用電子デバイスの位置における、あるいはその近くの、少なくとも１つの可視環境特徴に対応する。ここで、例えば、可視環境特徴は、人間可読情報を含みうる。ローカル・マップ情報は、センサリー入力情報に少なくとも部分的に基づいて得られ、通信ネットワークを介して携帯用電子デバイスに提供されうる。
【０００９】
非限定的及び非網羅的な態様が、次の図面を参照して記述されており、ここで、同様の参照番号は、別な方法で規定されない限り、様々な図面の全体にわたって同様の部分を指している。
【図面の簡単な説明】
【００１０】
【図１】図１は、インプリメンテーションに従って、携帯用電子デバイスのユーザの近くにある１つ又は複数の可視環境特徴に対応するセンサリー入力情報に少なくとも部分的に基づいて、位置、ナビゲーション、及び／又は他の同様な情報及び／又はサービスが、ユーザに提供されること可能にするための、１つ又は複数の電子デバイスを含む典型的な環境を例示する概略ブロック図である。
【図２】図２は、インプリメンテーションに従って、例えば、図１におけるのと同様に、典型的なコンピューティング／電子デバイスのある特徴を例示する概略ブロック図である。
【図３】図３は、インプリメンテーションに従って、携帯用電子デバイスのユーザの近くにある１つ又は複数の可視環境特徴に対応するセンサリー入力情報に少なくとも部分的に基づいて、位置、ナビゲーション、及び／又は他の同様な情報及び／又はサービスが、ユーザに提供されること可能にするための、携帯用電子デバイスにおいてインプリメントされうる実例的なプロセスを例示するフロー図である。
【図４】図４は、インプリメンテーションに従って、携帯用電子デバイスのユーザの近くにある１つ又は複数の可視環境特徴に対応するセンサリー入力情報に少なくとも部分的に基づいて、位置、ナビゲーション、及び／又は他の同様な情報及び／又はサービスが、ユーザに提供されること可能にするための、１つ又は複数のネットワーク・ベースの（network-based）電子デバイスにおいてインプリメントされうる実例的なプロセスを例示するフロー図である。
【発明を実施するための形態】
【００１１】
［詳細な説明］
ある態様によると、携帯用電子デバイスのユーザの近くにある１つ又は複数の可視環境特徴に対応するセンサリー入力情報に少なくとも部分的に基づいて、位置、ナビゲーション、及び／又は他の同様な情報及び／又はサービスが、ユーザに提供されること可能にするための、１つ又は複数の電子デバイスにおいてインプリメントされうる技術が、ここに記述される。したがって、例えば、デバイスのユーザは、それらの位置における、あるいはその近くの、１つ又は複数の可視環境特徴に関連する画像及び／又は音声の情報を入力するあるいは入力を開始することができ、位置、ナビゲーション、及び／又は他の同様な情報及び／又はサービスは、このようなセンサリー入力情報に少なくとも部分的に基づいて提供されうる。
【００１２】
例として、あるインプリメンテーションによると、携帯用電子デバイスは、センサリー入力情報がカメラ及び／又はマイクロホンを使用して記録される方法をインプリメントすることができる。したがって、例えば、ユーザによって動作されるときにカメラによって記録されるスチル又はビデオの画像情報は、人間可読情報を含む１つ又は複数の可視環境特徴をとらえることができる。ここで、例えば、ユーザは、近くの店の看板、オフィスビル、オフィスの続き部屋（office suite)、街路表示、及び／又はそれに類するものの画像又はビデオを記録することができる。ユーザは、更に又は代替的に、マイクロホンを使用して音声情報を記録することができる。したがって、例えば、ユーザは、近く（例えば、近隣、見えるところなど）のある可視環境特徴をある手法（manner）で説明することができる。ここで、例えば、ユーザは、近くの店の看板、オフィスビル、オフィスの続き部屋、街路表示、及び／又はそれに類するものを読む、あるいは別な方法で説明することができる。
【００１３】
例えば、ユーザは、更に又は代替的に、このような可視環境特徴を識別するのに有用でありうる方向及び／又は他の同様なステートメント（statement）を記録することができる。ここで、例えば、ユーザは、それらの現在位置を推定することを援助しうる、ある可視環境特徴の空間関係を説明することができる。例えば、ユーザは、それらの右手側に位置している第１の特徴と、それらの左手側に位置している第２の特徴との説明を含む音声情報を記録することができる。あるインプリメンテーションでは、画像情報は、更に又は代替的に、このような空間関係を記録するために使用されうる。例えば、ユーザは、（このようなボイス・ベースの音声情報の有無にかかわらず）（複数の）画像又は（複数の）ビデオを記録することができる。
【００１４】
センサリー入力情報を得て、携帯用電子デバイスは、このようなセンサリー入力情報に少なくとも部分的に基づいて、ローカル・マップ情報を得ることができる。より詳細に下に記述されるように、ある実例的なインプリメンテーションでは、携帯用電子デバイスは、それ自体の事前記憶されたマップ情報に基づいて、有望な(likely）ローカル・マップ情報を決定することを可能にされうる。他の実例的なインプリメンテーションでは、携帯用電子デバイスは、更に又は代替的に、有望なローカル・マップ情報を決定する及び／又は携帯用電子デバイスに、このようなローカル・マップ情報あるいはその一部を提供することを可能されうるネットワーク・ベースの電子デバイスに、あるセンサリー入力情報を提供することができる。ある実例的なインプリメンテーションでは、ローカル・マップは、現場（venue）の絵入りの地図(pictorial map)を含みうる。ある実例的なインプリメンテーションでは、ローカルは、例えば、エリアのグラフィカル・デジタル説明、場合によっては地理的なタグを有するポイント・オブ・インタレスト（point of interest）情報、ある無線ビーコン・デバイス（例えば、アクセス・ポイント）に関連する情報等などのような、コンテクスチャル（contextual）情報を含みうる。
【００１５】
例として、あるインプリメンテーションでは、携帯用電子デバイス及び／又はネットワーク・ベースの電子デバイスは、記録された画像情報及び／又は記録された音声情報に少なくとも部分的に基づいて、テキストのメタデータ（textual metadata）を設定することを可能にされうる。例えば、記録された画像情報は、人間可読情報（例えば、機械可読コンテンツとして意図されるものとは対照的に、典型的に人間によって識別可能なコンテンツ）を識別するための１つ又は複数の画像認識アルゴリズムを使用して処理されうる。ここで、例えば、画像認識アルゴリズムは、文字数字式（alphanumeric）のテキストを読み取る、及び／又はサインに現れうるような、特定のアイコン的なシンボルを識別することを可能にされうる。記録された音声情報に関して、ある例では、このような情報は、人間可読情報を識別するための１つ又は複数のボイス認識アルゴリズムを使用して処理されうる。ここで、例えば、音声認識アルゴリズムは、ユーザの位置と関連する空間関係及び／又は特定のサインの何れかに関連する１つ又は複数の文字数字式のキャラクター、ワード、及び／又はフレーズを識別することを可能にされうる。
【００１６】
当業者は、様々な利用可能な画像及び／又はボイス認識アルゴリズム、プロセス、アプリケーション、ツール、及び／又は他の同様なサービスが、このような電子デバイスにおいて使用されうる及び／又は、さもなければ使用のために適合されうることを認識するであろう。そのような既知の典型的な画像及び／又はボイスのアルゴリズムの特定のインプリメンテーションの詳細は、この記述及び特許請求される主題事項の範囲から逸脱しており、したがって、ここには含まれず、そのようなものはまた、特許請求される主題事項の範囲を限定すべきではない。
【００１７】
得られたセンサリー入力情報の全部又は一部、及び／又は対応するテキストのメタデータは、例えば、有望なローカル・マップ情報を決定する、あるいは識別するために、既存のマップ及び位置情報のデータベース又は他の同様なリポジトリにおける同様なタイプの情報及び／又はメタデータと比較される及び／又は、さもなければ一緒に処理されうる。加えて、携帯用電子デバイスと関連する現在のあるいは最後に知れたる推定された位置又は他の同様なナビゲーション情報は、有望なローカル・マップ情報を得るために考慮されうる。
【００１８】
有望なローカル・マップ情報を得て、携帯用電子デバイスは、ローカル・マップ情報に少なくとも部分的に基づいて、位置及び／又はナビゲーション情報を得ることができる。より詳細に下に記述されるように、ある実例的なインプリメンテーションでは、携帯用電子デバイスは、ローカル・マップ情報へのアクセス有するそれ自体のナビゲーション・アプリケーションに基づいて、位置及び／又はナビゲーション情報を決定することを可能にされうる。他の実例的なインプリメンテーションでは、携帯用電子デバイスは、更に又は代替的に、ローカル・マップ情報へのアクセスを有するネットワーク・ベースの電子デバイスによって決定されるような、ある位置及び／又はナビゲーション情報を受信することができる。あるインプリメンテーションでは、例えば、１つ又は複数の無線ビーコン・デバイスと関連する媒体アクセス制御（ＭＡＣ）アドレス及び／又はそれに類するものが、位置及び／又はナビゲーション情報と一緒に含まれうる。
【００１９】
位置及び／又はナビゲーション情報を得て、携帯用電子デバイスは、例えば、１つ又は複数のユーザ・インタフェース機構を介して（例えば、ディスプレイ及び／又はスピーカーなどを介して）、ユーザにこのような情報を示すことができる。ここで、例えば、ユーザに示される位置及び／又はナビゲーション情報は、所望の目標位置をある手法で特定する（複数の）ユーザ入力に基づきうる。例えば、位置及び／又はナビゲーション情報は、ユーザに、ターン・バイ・ターン指示、グラフィカル・ルート情報、ボイス・ナビゲーションなどを提供できる。
【００２０】
ここに提供される典型的な技術は、例えば、人間援助型の位置ベース・サービスの一部として提供されうる。ここで、例えば、人間援助は、１つ又は複数の可視環境特徴に対応するセンサリー入力情報の入力及び／又は収集において存在することができる。このようなサービスは、サービスの使用を通じて収集された情報を用いて、時の経過と共に向上することができ、それは、向上された（例えば、より正確で、有用な）ローカル・マップ及びデータベースにおける位置特有の注釈付きデータのリポジトリ及び／又はそれに類するものを可能にする。
【００２１】
いくつかの実施形態では、ここに提供される技術は、ローカル・マップを識別する、もしくは得るために、マシン自動化された及び／又は人間援助型のサーチ及びマッチング介して得られた様々な環境情報を使用し、場合によっては、ナビゲーション・プロセスに役に立つ位置特有の注釈と共に、ユーザに最も有望なローカル・マップを提供できる。
【００２２】
ここで図１が参照され、それは、実例的なインプリメンテーションに従って、携帯用電子デバイスのユーザの近くにある１つ又は複数の可視環境特徴に対応するセンサリー入力情報に少なくとも部分的に基づいて、ユーザのために位置、ナビゲーション、及び／又は他の同様な情報及び／又はサービスを少なくとも部分的にサポートすることが可能な少なくとも１つの携帯用電子デバイス１０２を含む典型的な環境１００を例示する概略ブロック図である。ここで、例えば、ユーザは、特徴１２０における、あるいはその近くの、推定された位置にいて、少なくともデバイス１０２からの援助を用いて目標位置へ移動したいという希望を持っているとして例示されている。
【００２３】
環境１００は、ＳＰＳ １０６からの１つ又は複数のＳＰＳ信号１１２に少なくとも部分的に基づいて、デバイス１０２に関して、少なくともなんらかの形式の位置、ナビゲーション、及び／又は他の同様な情報及び／又はサービスを提供することができる様々なコンピューティング及び通信のリソースを含みうる。デバイス１０２は、少なくとも１つのＳＰＳ受信機１０４を含むか、もしくはそれに動作的に結合されうる。図１に示される例で例示されるように、デバイス１０２は、デバイス１０２に他のプロセスを実行する及び／又はサポートすることを可能にする他の回路構成１０８及び／又はそれに類するものを含みうる。限定ではなく例として、デバイス１０２は、１つ又は複数のワイヤレス通信リンク１５０上で、通信ネットワーク１１６内の１つ又は複数のリソースと通信することを可能にされうる。例えば、１つ又は複数のネットワーク・ベースの電子デバイス１１４は、ネットワーク１１６に結合される及び／又はその内部に提供されうる。デバイス１０２は、例えば、セルラ電話、スマートフォン、携帯情報端末、携帯用コンピューティング・デバイス、ナビゲーション・ユニット、及び／又はそれに類するもの、あるいはそれらの任意の組み合わせなどの、移動局（ＭＳ）を含みうる。他の実例的なインプリメンテーションでは、デバイス１０２は、別のデバイスでの使用のために動作的に可能にされうる１つ又は複数の集積回路、回路基板、及び／又はそれに類するものの形式をとることができる。
【００２４】
デバイス１０２は、例えば、ワイヤレス広域ネットワーク（ＷＷＡＮ）、ワイヤレス・ローカル・エリア・ネットワーク（ＷＬＡＮ）、ワイヤレス・パーソナル・エリア・ネットワーク（ＷＰＡＮ）などのような、様々なワイヤレス通信ネットワークでの使用のために可能にされうる。「ネットワーク」及び「システム」という用語は、ここで置換可能に使用されうる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリア周波数分割多元接続（ＳＣ−ＦＤＭＡ）ネットワークなどでありうる。ＣＤＭＡネットワークは、少数の無線技術の例をあげると、ｃｄｍａ２０００、広帯域−ＣＤＭＡ（Ｗ−ＣＤＭＡ）などの１つ又は複数の無線アクセス技術（ＲＡＴｓ）をインプリメントすることができる。ここで、ｃｄｍａ２０００は、ＩＳ−９５、ＩＳ−２０００、及びＩＳ−８５６規格によってインプリメントされる技術を含みうる。ＴＤＭＡネットワークは、グローバル移動体通信システム（ＧＳＭ）（登録商標）、デジタル・アドバンスド移動電話システム（Ｄ−ＡＭＰＳ）、あるいは何か他のＲＡＴをインプリメントすることができる。ＧＳＭ及びＷ−ＣＤＭＡは、「第３世代パートナシップ計画」（３ＧＰＰ）という名のコンソーシアムからの文書に記述されている。ｃｄｍａ２０００は、「第３世代パートナシップ計画２」（３ＧＰＰ２）という名のコンソーシアムからの文書に記述されている。３ＧＰＰ及び３ＧＰＰ２の文書は、公的に利用可能である。例えば、ＷＬＡＮは、ＩＥＥＥ８０２．１１ｘネットワークを含むことができ、また、ＷＰＡＮは、Ｂｌｕｅｔｏｏｔｈ(登録商標)ネットワーク、ＩＥＥＥ８０２．１５ｘ、を含むことができる。
【００２５】
図１の例で例示されているように、ＳＰＳ １０６は、例えば、ＳＰＳ信号１１２を送信できる種々の複数の宇宙飛行体（ＳＶｓ）１１０を含みうる１つ又は複数のＧＮＳＳ １０８又は他の同様なナビゲーション・システムを含む。
【００２６】
ここに説明される技術は、ＧＮＳＳ及び／又はＧＮＳＳの組み合わせ、あるいは他の地域／ローカルのナビゲーション・システムなどのいくつかのナビゲーション・システムのうちの任意の１つを含む「ＳＰＳ」と共に使用されうる。更に、このような技術は、擬似衛星あるいは宇宙飛行体（ＳＶｓ）と擬似衛星の組み合わせを利用する測位システムと共に使用されうる。擬似衛星は、例えば、ＰＮコード又は他の測距コード（例えば、ＧＰＳ又はＣＤＭＡのセルラ信号に類似しているもの）をブロードキャストする地上ベースの送信機を含みうる。そのような送信機は、遠隔受信機による識別を許可するように、固有のＰＮコードを割り当てられることができる。擬似衛星は、例えば、軌道周回ＳＶからのＳＰＳ信号が、トンネル、鉱山、ビルディング、都市の峡谷、あるいは他の囲まれたエリアなどで、利用不可能でありうる場合の状況において、ＳＰＳを増強（augment）するために有用でありうる。擬似衛星の別のインプリメンテーションは、無線ビーコンとして知られている。ここで使用される「ＳＶ」という用語は、擬似衛星、擬似衛星と同等のもの、及び場合によっては他のものを含むように意図される。ここで使用される「ＳＰＳ信号」という用語は、擬似衛星あるいは擬似衛星と同等のものからのＳＰＳ信号を含むように意図される。
【００２７】
図１に例示されているように、限定ではなく例として、特徴１２０は、ある形式の文字数字及び／又は他の同様なテキスト１２２を介して、及び／又はあるグラフィカル・アイコン１２４の（例えば、記号的、グラフィカル、視覚的などの）形式を介してある人間可読情報を運搬し、人間によって識別可能でありうる、及び／又は、さもなければ、それを含みうる。
【００２８】
次に、実例的なコンピューティング・デバイス２００の概略ブロック図を示す図２が参照される。コンピューティング・デバイス２００は、実例的な携帯用電子デバイス１０２の典型でありうる。コンピューティング・デバイス２００は、実例的なネットワーク・ベースの電子デバイス１１４の典型でありうる。
【００２９】
図２の典型的な概略ブロック図に例示されているように、ある実例的なインプリメンテーションでは、デバイス２００は、少なくとも１つのＳＰＳ信号１１２を含むＲＦ信号を受信することが可能なＳＰＳ受信機１０４を含みうる。ＳＰＳ受信機１０４は、例えば、バック・エンド・プロセッサ（処理装置）に結合されたＲＦフロント・エンド回路（図示せず）を含みうる。ここで、例えば、ＳＰＳ受信機１０４は、デバイス２００の推定された位置２５２を決定することができ、それは、メモリ２０４に記憶されうる。
【００３０】
様々な形式／タイプの情報が、メモリ２０４に記憶されうる。限定ではなく例として、図２に例示されるように、メモリ２０４は、センサリー入力情報２４０、記録された画像情報２４２、記録された音声情報２４４、テキストのメタデータ２５０、ローカル・マップ情報２４８、位置及び／又はナビゲーション情報２５０、推定された位置２５２、位置情報及び／又はマップのリポジトリ２６０、及び／又はそれらの任意の組み合わせ、あるいはそれに類するものを記憶できる。メモリ２０４は、様々な他のデータ及びコンピュータ・インプリメント可能な命令２７０をその中に記憶されうる。このような命令は、例えば、１つ又は複数の処理ユニット又はプロセッサ２０２によって実行されうる。
【００３１】
述べたように、ある実例的なインプリメンテーションでは、デバイス１０２内に例示される１つ又は複数の回路は、メモリ２０４に記憶されたコンピュータ・インプリメント可能な命令２７０に動作的に応答するか、もしくはそれらによってある手法で影響されうる。したがって、例えば、コンピュータ・インプリメント可能な命令２７０の少なくとも一部は、ここに記述される技術を提供するか、もしくはある手法で動作的にサポートするために、（複数の）処理ユニット２０２、及び／又は、ユーザ・インタフェース２０８、ディスプレイ２１０、スピーカー２１２、マイクロホン２１４、カメラ２１６、ＳＰＳ受信機１０４、ネットワーク・インタフェース２３０などと関連する他のプログラマブルな回路構成によってインプリメントされうる。
【００３２】
図２に例示されるように、ここでコンピュータ可読媒体２２０によって表わされる製品は、例えば、（複数の）処理ユニット２０２によって提供され並びにアクセスされうる。したがって、ある実例的なインプリメンテーションでは、方法及び／又は装置は、記憶されたコンピュータ・インプリメント可能な命令を含むコンピュータ可読媒体２２０の全体又は一部において形を成すことができ、それは、少なくとも１つの処理ユニットあるいは他の同様な回路構成によって実行される場合には、（複数の）処理ユニット２０２及び／又は他の同様な回路構成に、ここでの例において示される技術／プロセスの全て又は一部を実行することを可能にする。コンピュータ可読媒体２２０は、任意のデータ記憶機構の典型でありうる。
【００３３】
（複数の）処理ユニット２０２は、ハードウェアあるいはハードウェアとソフトウェアの組み合わせにおいてインプリメントされうる。（複数の）処理ユニット２０２は、データ・コンピューティング手順又はプロセスの少なくとも一部を実行するように構成可能な１つ又は複数の回路の典型でありうる。限定ではなく例として、（複数の）処理ユニット２０２は、１つ又は複数のプロセッサ、コントローラ、マイクロプロセッサ、マイクロコントローラ、特定用途向け集積回路、デジタル信号プロセッサ、プログラマブル・ロジック・デバイス、フィールド・プログラマブル・ゲート・アレイ、及びそれに類するもの、あるいはそれらの任意の組み合わせを含みうる。
【００３４】
メモリ２０４は、任意のデータ記憶機構の典型でありうる。メモリ２０４は、例えば、主要メモリ及び／又は、補助メモリを含みうる。主要メモリは、例えば、ランダム・アクセス・メモリ、読み取り専用メモリなどを含みうる。この例では（複数の）処理ユニット２０２から分離しているように例示されている一方で、主要メモリの少なくとも一部は、（複数の）処理ユニット２０２、ＳＰＳ受信機１０４、カメラ２１６、ユーザ・インタフェース２０８などの内部に提供されるか、もしくはそれらと結合される／同じ場所に配置されうることが理解されるべきである。補助メモリは、例えば、主要メモリと同じあるいは類似したタイプのメモリ及び／又は、例えば、ディスク・ドライブ、光ディスク・ドライブ、テープ・ドライブ、ソリッド・ステート(solid state)・メモリ・ドライブなどのような、１つ又は複数のデータ記憶デバイス又はシステムを含みうる。あるインプリメンテーションでは、補助メモリは、コンピュータ可読媒体２２０を動作的に受容するか、もしくは、それに結合するように構成可能でありうる。
【００３５】
更に図２に例示されるように、デバイス２００は、様々な回路を動作的に共に結合して、１つ又は複数の電子信号をそこの間で搬送するための１つ又は複数の接続２０６（例えば、バス、回線、導体、ファイバーなど）と、ユーザ・インタフェース２０８とを含みうる。ユーザ・インタフェース２０８は、様々なユーザ入力及び／又は出力機構／デバイスの典型でありうる。例えば、示されるように、ユーザ・インタフェース２０８は、ユーザ出力を提供するためのディスプレイ２１０及びスピーカー２１２を含みうる。いくつかの例では、示されるように、ユーザ・インタフェース２０８は、ユーザ入力を提供するための少なくとも１つのマイクロホンを含みうる。他のユーザ入力（図示せず）は、例えば、タッチ・スクリーン、キーパッド、１つ又は複数のボタン、１つ又は複数のつまみなどを含みうる。ここでまた示されるように、デバイス２００は、少なくとも１つのカメラ２１６を含みうる。カメラ２１６は、例えば、スチル及び／又はビデオ画像情報２４２を記録するデジタル・カメラの典型でありうる。カメラ２１６は、モノクロ及び／又はカラーの画像を含みうる。画像情報２４２及び／又は音声情報２４４のフォーマットは、設計によって変わり、未処理（raw）のデータ及び／又は圧縮されたデータを含みうる。あるインプリメンテーションでは、マイクロホン２１４は、画像情報２４２に対応する音声情報２４４を提供できる。ある他の事例では、音声情報２４４及び画像情報２４２は、無関係でありうる。
【００３６】
次に図３が参照され、それは、インプリメンテーションに従って、携帯用電子デバイス１０２（図１）及び／又はコンピューティング・デバイス２００（図２）の全体又は一部においてインプリメントされうる実例的なプロセス３００を例示するフロー図である。
【００３７】
ブロック３０２では、センサリー入力情報を表わす１つ又は複数の電子信号が、得られることができる。センサリー入力情報は、携帯用電子デバイスにおいて、あるいはその近くに、位置する少なくとも１つの可視環境特徴に対応することができ、それは、人間可読情報を具備する少なくとも１つの可視環境特徴を含む。ある実例的なインプリメンテーションでは、ブロック３０２中のブロック３０４において、テキストのメタデータは、記録された画像情報及び／又は記録された音声情報のうちの少なくとも１つに、少なくとも部分的に基づいて決定されうる。ある実例的なインプリメンテーションでは、ブロック３０２中のブロック３０６において、テキストのメタデータ及び／又はセンサリー入力情報の全て又は一部が、ネットワーク・ベースの電子デバイスに提供されうる。ある実例的なインプリメンテーションでは、デジタル・コンパス（例えば、磁力計）及び／又は加速度計がまた、メタデータにおいて提供されうるセンサリー入力情報を提供できる。例えば、ユーザが（例えば、左から右へ）画像をとらえるとき、このような動きは、このような（複数の）タイプのセンサーによって記録されることができ、音声、画像、及び／又はビデオの情報は、そのようなセンサリー入力情報とタグされる（tagged）か、もしくは関連づけられることができる。
【００３８】
ブロック３０８では、ローカル・マップ情報を表わす１つ又は複数の電子信号が、得られることができる。ここで、例えば、ローカル・マップ情報は、センサリー入力情報及び／又はテキストのメタデータ（利用可能な場合）の少なくとも一部に、少なくとも部分的に基づきうる。ある実例的なインプリメンテーションでは、ブロック３０８中のブロック３１０において、ローカル・マップ情報の全て又は一部が、ネットワーク・ベースの電子デバイスから受信されうる。あるインプリメンテーションでは、ローカル・マップ情報は、携帯用電子デバイスと関連する推定された位置情報に少なくとも部分的に基づきうる。
【００３９】
ブロック３１２では、位置及び／又はナビゲーション情報を表わす１つ又は複数の電子信号が、得られることができる。位置／ナビゲーション情報の全て又は一部は、ローカル・マップ情報に少なくとも部分的に基づきうる。ある実例的なインプリメンテーションでは、ブロック３１２中のブロック３１４において、位置／ナビゲーション情報の全て又は一部が、ネットワーク・ベースの電子デバイスから受信されうる。あるインプリメンテーションでは、ブロック３１２において、位置／ナビゲーション情報の全て又は一部が、ある手法でユーザに示されうる。
【００４０】
次に図４が参照され、それは、インプリメンテーションに従って、１つ又は複数のネットワーク・ベースの電子デバイス１１４（図１）及び／又は（複数の）コンピューティング・デバイス２００（図２）の全体又は一部においてインプリメントされうる実例的なプロセス４００を例示するフロー図である。
【００４１】
ブロック４０２では、携帯用電子デバイスと関連するテキストのメタデータ及び／又はセンサリー入力情報が、得られることができる。例えば、センサリー入力情報及び／又はテキストのメタデータの全て又は一部は、携帯用電子デバイスから、ネットワーク・インタフェースを介して受信されうる。ここで、センサリー入力情報は、携帯用電子デバイスの位置にある、あるいはその近くに位置する、少なくとも１つの可視環境特徴に対応することができ、それは、人間可読情報を具備する少なくとも１つの可視環境特徴を含みうる。ある実例的なインプリメンテーションでは、ブロック４０２中のブロック４０４において、テキストのメタデータは、記録された画像情報及び／又は記録された音声情報のうちの少なくとも１つに、少なくとも部分的に基づいて、決定されうる。
【００４２】
ブロック４０６では、ローカル・マップ情報は、例えば、センサリー入力情報及び／又はテキストのメタデータに少なくとも部分的に基づいて、得られることができる。ここで、例えば、センサリー入力情報及び／又はテキストのメタデータの少なくとも一部は、位置情報及び／又はマップの１つ又は複数のリポジトリにおける類似した又は関連するタイプ／値の情報と比較される及び／又は、さもなければそれに基づいて処理されうる。ここで、例えば、１つ又は複数のマップ及び／又は位置のデータベースは、（有望な）ローカル・マップ情報を識別する及び／又は、さもなければ生成するために、サーチされうる。ある実例的なインプリメンテーションでは、入力メタデータに基づくローカルのマップの尤度（likelihood）は、１つ又は複数の機能（function）に基づきうる。例えば、ある事例において、ローカルエリアの隣接グラフ表現（adjacent graph representation）は、１つ又は複数のポイント・オブ・インタレストを表わす複数のノード（nodes)及び／又は示される方向と同様にポイント・オブ・インタレスト間の隣接を表わす複数の辺（edges）を用いて確立されうる。例えば、第１のノード及び第２のノードは、辺を有することができ、辺の方向は、場合によっては、関係の順序を示しており、このような１つ又は複数の注釈は、このような又は他の同様な相対的な配置／配列ついての情報と共に含まれうる。したがって、辺注釈は、北に面している場合にはその左、及び南に面している場合にはその右を示すことができ、それは、例えば、ユーザが北に面している場合には、第１のノードは第２のノードの左にあることを反映（reflect）する。
【００４３】
ブロック４０８では、ローカル・マップ情報の全て又は一部が、携帯用電子デバイスに提供されうる。
【００４４】
当業者は、そのような動作的な置換え及び／又は適用可能な変換が、関係する特定のシステム及び情報によって、様々な形式を帯びうることを認識するであろう。
【００４５】
このことを念頭において、ここで、いくつかの更なる非限定的な例のインプリメンテーション及び態様が、ここに説明されている技術の潜在的な用途、及び／又は利益のいくつかを更に例示するために示される。
【００４６】
ここでの技術は、例えば、センサリー入力情報を提供するという形式で人間援助を使用して、最初のマップをプロビジョンするための仕組みを提供するためにインプリメントされうる。この最初のマップのプロビジョニングと共に、このマップを参照して相対的位置が与えられることができ、あるインプリメンテーションでは、このようなマップがグローバル座標を用いて注釈される場合には、相対的位置は、グローバル座標システム内の位置に変換されうる。
【００４７】
例示的な例では、移動局を有するユーザは、インドアの位置に入り、ナビゲーション、ビーコンのアドレス−位置マッピングを得ること、ショッピングなどのような、様々な位置ベースのサービスを可能にするためにインドア・ローカル・マップを検索することを望んでいると仮定する。そのような状況において十分に正確な推定された位置を利用できないことは、使用のための正しいローカル・マップを決定することから、ＧＰＳ又は援助型ＧＰＳからの最後に知れたる優良な位置の使用を排除しうる。ここで、例えば、ローカル・マップは、ビルディングにおける特定の階の特定の部分の一部あるいはレベルに非常に特有でありうる情報を含みうる。
【００４８】
ある実例的なインプリメンテーションでは、ここに提供される技術は、移動局が、それ独自に、あるいは１つ又は複数のネットワーク・ベースの電子デバイスからの援助を用いての何れかで、ローカル・マップを得ることを可能にするためにインプリメントされうる。
【００４９】
ここで、例えば、移動局は、ユーザからの「人間援助（human assistance）」を用いて、センサリー入力情報を得ることができる。人間援助は、例えば、ユーザが、それらの現在位置における、あるいはその近くの、ある環境特徴を発声することができる、ボイス・ベースの音声情報入力を含みうる。限定ではなく例として、店の名前、部屋番号、部屋のドア上の人々の名前などのような特徴が、説明される及び／又は読まれることができる。したがって、この例では、ユーザは、それらの現在の環境と関連するテキストのメタデータを生成するために使用されうる音声情報を記録することができる。あるインプリメンテーションでは、音声情報は、ユーザがそれらの周辺におけるある識別可能なサウンドをとらえることができる、聴覚環境記録（auditory environmental recording）を含みうる。あるインプリメンテーションでは、スチル及び／又はビデオ画像情報は、それらの現在の環境と関連するテキストのメタデータのために使用されうる画像情報を記録するために、カメラを用いてとらえられることができる。ここで、例えば、ユーザは、それらの周辺の写真を撮る、及び／又はそれらの環境のビデオをとらえるために、必要に応じてそれらの移動局を移動することができる。
【００５０】
ある実例的なインプリメンテーションでは、環境情報のコレクションが、マップのデータベースにおけるより正確なマッチングのために組み立てられることができる。例えば、そのような情報構造は、環境を（例えば、ユーザの位置及び基準線に関するある角度をカバーする）セクターに分けることと、セクターの全て又は一部と関連する特定のシーケンスでセンサリー入力を得ることとを含みうる。例えば、セクターは、９０度の角度に対応することができ、特定のシーケンスは、各セクターに関するセンサリー入力情報を記録するために、（例えば、逆時計回りに）ユーザによって従われうる。このタイプの調整された捕捉は、ある空間関係情報が、確立され、場合によっては位置情報／マップのリポジトリに加えられることを可能にすることができる。
【００５１】
あるインプリメンテーションでは、センサリー入力情報の全て又は一部が、（ここでは、単に「テキストの情報（textual information）」として参照される）テキストあるいは他のシグネチャ（signatures）のようなメタデータを得るために、ある手法で変換又は使用されうる。例として、画像に対する光学式文字認識及び／又は自動音声認識（ＡＳＲ）のような周知の技術が使用されうる。あるインプリメンテーションでは、音声情報は、シグネチャに変換されうる。あるインプリメンテーションでは、ビデオ情報は、スチル画像のセットに変換されうる。
【００５２】
ある実例的なインプリメンテーションでは、「そのまま（as-is）のセンサリー入力」（例えば、記録された画像情報及び／又は音声情報）が、サーチ・モジュールを提供することが可能な１つ又は複数のネットワーク・ベースの電子デバイスに提供されうる。ここで、例えば、画像及びビデオは、サーチ・モジュールにそのままサブミットされることができ、サーチ・モジュールは、ローカル・マップで注釈されたものと、ユーザがいる位置の画像を直接比較するために、画像データベースにおけるマッチングを使用できる。同様に、サーチ・モジュールは、音声情報及び／又は対応するメタデータに関して、同様の比較を行うことができる。
【００５３】
テキストのメタデータは、例えば、メタデータを用いてある手法で注釈された位置情報／マップのローカル又は遠隔のリポジトリをサーチするために使用されうる。例えば、あるインプリメンテーションでは、移動局から得られたテキストのメタデータは、（例えば、最大限のメタデータ・マッチングに基づいて、）ユーザの位置に最も関連するものでありそうなローカル・マップのリストを見つけるために、ローカル・マップと関連するメタデータ中をサーチするために使用されうる。ここで、例えば、ローカル・マップが、特定の空間関係におけるアイコン的な情報及び／又はあるテキストに関する注釈と共に存在する場合には、ローカル・マップ情報のマッチングは、正しいものである高い確率を与えられることができる。このようなサーチは、例えば、移動局及び／又はネットワーク・ベースの電子デバイス（例えば、遠隔サーバーなど）の何れかに対して、全体又は一部において実行されうる。
【００５４】
ある実例的なインプリメンテーションでは、サーチ空間を減らすか、もしくは、パフォーマンスを改善するために、移動局の事前に推定された位置が、テキストのメタデータを用いてマッチのためにサーチされるローカル・マップのセットを減らすか、限定するか、もしくはフォーカスするために使用されうる。
【００５５】
あるインプリメンテーションでは、追加の及び／又は特定のセンサリー入力情報が、ユーザに要求されうる。例えば、ユーザは、サーチ／マッチング処理を援助しうる追加の特定の入力のために、（例えば、ユーザ・インタフェース機構を介して）入力を促されうる。例えば、ユーザは、ビルディングのどの階にそれらがいるかを問われることができる。あるインプリメンテーションでは、ユーザは、そこから使用のために適用可能なローカル・マップを選択するための、（例えば、それらの最後に推定された位置に関連する）１つ又は複数の潜在的なローカル・マップを提供されうる。
【００５６】
この明細書の全体にわたって参照される「１つの例」、［例」、「ある例」、あるいは「典型的なインプリメンテーション」は、特徴及び／又は例と関連して説明された特定の特徴、構造、あるいは特性が、特許請求される主題事項の少なくとも１つの特徴及び／又は例に含まれうることを意味している。したがって、この明細書の様々な箇所にわたって記載されている「１つの例では」、「例では」、「ある例では」、又は「あるインプリメンテーションでは」という語句、あるいは他の同様な語句は、必ずしも全てが同じ特徴、例、及び／又は限定を指すものではない。更に、特定の特徴、構造、又は特性は、１つ又は複数の例及び／又は特徴において組み合わされうる。
【００５７】
ここに説明された方法論（methodologies）は、特定の特徴及び／又は例によるアプリケーションに依存して、様々な手段によってインプリメントされうる。例えば、このような方法論は、ソフトウェアに加えて、ハードウェア、ファームウェア、及び／又はその組み合わせにおいて、インプリメントされうる。ハードウェア・インプリメンテーションでは、例えば、処理ユニットは、１つ又は複数の特定用途向け集積回路（ＡＳＩＣｓ）、デジタル信号プロセッサ（ＤＳＰｓ）、デジタル信号処理デバイス（ＤＳＰＤｓ）、プログラマブル・ロジック・デバイス（ＰＬＤｓ）、フィールド・プログラマブル・ゲート・アレイ（ＦＰＧＡｓ）、プロセッサ、コントローラ、マイクロコントローラ、マイクロプロセッサ、電子デバイス、ここに説明された機能を実行するために設計された他のデバイス・ユニット、及び／又はその組み合わせの内部にインプリメントされうる。
【００５８】
前述の詳細な説明では、多数の特定の詳細が、特許請求される主題事項の十分な理解を提供するために記載されている。しかしながら、特許請求される主題事項が、これらの特定の詳細なしで実施されうることは、当業者によって理解されるであろう。他の事例では、当業者によって知られている方法及び装置は、特許請求される主題事項を不明瞭にしないように、詳細には記述されていない。
【００５９】
前述の詳細な説明のいくつかの部分は、専用目的のコンピューティング・デバイス又はプラットフォーム又は特定の装置のメモリ内に記憶された２値デジタル電子信号に対するオペレーションの象徴又はアルゴリズムによって示されている。この特定の明細書のコンテキストでは、特定の装置という用語又はそれに類するものは、一旦それがプログラム・ソフトウェアからの命令に従って、特定の機能を実行するようにプログラムされると、汎用コンピュータを含む。アルゴリズム的な記述又は象徴は、他の当業者にそれらの作業の実体（substance）を伝えるために、信号処理あるいは関連技術において当業者によって使用される技術の例である。アルゴリズムは、ここで、及び一般に、自己矛盾のないオペレーションのシーケンス、あるいは所望の結果がもたらされる同様の信号処理であると考えられる。このコンテキストでは、オペレーション又は処理は、物理量の物理的な操作を伴う。必ずしもではないが、典型的に、このような量は、情報を表わす電子信号として記憶される、転送される、組み合わされる、比較される、もしくは操作されうる電気的又は磁気的な信号の形式をとることができる。主に、一般的慣習の理由から、このような信号を、ビット、データ、値、エレメント、シンボル、キャラクター、項、番号、数字、情報、あるいはそれに類するものとして称することは、時に便利であることが分かっている。しかしながら、これらの全て又は同様の用語は、適切な物理量と関連されるものあって、単に便利なラベルであるにすぎないことが理解されるべきである。他の方法で明確に規定されない限り、ここでの論述から明白であるように、この明細書の全体にわたって、「処理すること」、「コンピューティングすること」、「計算すること」、「識別すること」、「決定すること」、「確立すること」、「得ること」、及び／又はそれに類することなどの用語を利用している明細書の論述は、専用コンピュータ又は同様の専用電子コンピューティング・デバイスなどの、特定の装置の動作又はプロセスを指すことが理解される。したがって、この明細書のコンテキストでは、専用コンピュータ又は同様の専用電子コンピューティング・デバイスは、信号を操作又は変換することが可能であり、典型的に、専用コンピュータ又は同様の専用電子コンピューティング・デバイスのメモリ、レジスタ、あるいは他の情報記憶デバイス、送信デバイス、ディスプレイ・デバイス内の物理電子の又は磁気的な量として表わされる。この特定の特許出願のコンテキストでは、「特定の装置（specific apparatus）」という用語は、一旦それがプログラム・ソフトウェアからの命令に従って、特定の機能を実行するようにプログラムされると、汎用コンピュータを含む。
【００６０】
現在実例的な特徴であると考慮されるものが例示及び説明された一方で、特許請求される主題事項から逸脱することなく、様々な他の修正が行なわれることができ、同等のものは代用されることができるということが、当業者によって理解されるであろう。加えて、多くの修正が、ここに説明された主要な概念から逸脱することなく、特許請求される主題事項の教示に特定の状況を適合させるために行なわれうる。
【００６１】
したがって、特許請求される主題事項は、開示された特定の例に限定されないが、このような特許請求される主題事項はまた、添付された特許請求項の範囲内にある全ての態様、及びその同等のものを含みうるように意図される。
【図１】
2014240836.tif 000003
【図２】
2014240836.tif 000004
【図３】
2014240836.tif 000005
【図４】
2014240836.tif 000006
【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
携帯用電子デバイスを用いて、
前記携帯用電子デバイスの位置における、あるいはその近くの、少なくとも１つの可視環境特徴に対応するセンサリー入力情報を表わす１つ又は複数の電子信号を得ることと、ここにおいて前記少なくとも１つの可視環境特徴は、人間可読情報を具備する；
ローカル・マップ情報を表わす１つ又は複数の電子信号を得ることと、前記ローカル・マップ情報は、前記センサリー入力情報に少なくとも部分的に基づいている；
前記ローカル・マップ情報に少なくとも部分的に基づいて、位置及び／又はナビゲーション情報を表わす１つ又は複数の電子信号を得ることと；
を具備する方法。
【手続補正２】
【補正対象書類名】明細書
【補正対象項目名】００６１
【補正方法】変更
【補正の内容】
【００６１】
したがって、特許請求される主題事項は、開示された特定の例に限定されないが、このような特許請求される主題事項はまた、添付された特許請求項の範囲内にある全ての態様、及びその同等のものを含みうるように意図される。
以下に、本願出願の当初の特許請求の範囲に記載された発明を付記する。
［Ｃ１］  携帯用電子デバイスを用いて、
前記携帯用電子デバイスの位置における、あるいはその近くの、少なくとも１つの可視環境特徴に対応するセンサリー入力情報を表わす１つ又は複数の電子信号を得ることと、ここにおいて前記少なくとも１つの可視環境特徴は、人間可読情報を具備する；
ローカル・マップ情報を表わす１つ又は複数の電子信号を得ることと、前記ローカル・マップ情報は、前記センサリー入力情報に少なくとも部分的に基づいている；
前記ローカル・マップ情報に少なくとも部分的に基づいて、位置及び／又はナビゲーション情報を表わす１つ又は複数の電子信号を得ることと；
を具備する方法。
［Ｃ２］  前記携帯用電子デバイスは、カメラを具備し、前記センサリー入力情報を表わす前記１つ又は複数の電子信号を得ることは、前記カメラを使用して前記センサリー入力情報の少なくとも一部を得ることを更に具備する、Ｃ１に記載の方法。
［Ｃ３］  前記携帯用電子デバイスは、マイクロホンを具備し、前記センサリー入力情報を表わす前記１つ又は複数の電子信号を得ることは、前記マイクロホンを使用して前記センサリー入力情報の少なくとも一部を得ることを更に具備する、Ｃ１に記載の方法。
［Ｃ４］  前記センサリー入力情報は、記録された画像情報及び／又は記録された音声情報のうちの少なくとも１つを具備し、前記センサリー入力情報を表わす前記１つ又は複数の電子信号を得ることは、
前記記録された画像情報及び／又は前記記録された音声情報のうちの少なくとも１つに、少なくとも部分的に基づいて、テキストのメタデータを決定することと、
前記テキストのメタデータに少なくとも部分的に基づいて、前記センサリー入力情報を表わす前記１つ又は複数の電子信号を生成することと、
を更に具備する、Ｃ１に記載の方法。
［Ｃ５］  前記テキストのメタデータに少なくとも部分的に基づいて、前記センサリー入力情報を表わす前記１つ又は複数の電子信号を生成することは、
通信ネットワークを介して、前記テキストのメタデータの少なくとも一部を表わす１つ又は複数の電子信号を送信することと、
前記通信ネットワークを介して、前記テキストのメタデータに少なくとも部分的に基づいて、前記センサリー入力情報を表わす前記１つ又は複数の電子信号の少なくとも一部を受信することと、
を具備する、Ｃ４に記載の方法。
［Ｃ６］  前記センサリー入力情報を表わす前記１つ又は複数の電子信号を得ることは、
通信ネットワークを介して、記録された画像情報及び／又は記録された音声情報のうちの少なくとも１つを表わす、１つ又は複数の電子信号を送信することと、
前記通信ネットワークを介して、前記ローカル・マップ情報を表わす前記１つ又は複数の電子信号の少なくとも一部を受信することと、
を具備する、Ｃ１に記載の方法。
［Ｃ７］  前記ローカル・マップ情報を表わす前記１つ又は複数の電子信号を得ることは、通信ネットワークを介して、前記ローカル・マップ情報を表わす前記１つ又は複数の電子信号の少なくとも一部を受信することを具備する、Ｃ１に記載の方法。
［Ｃ８］  前記位置及び／又はナビゲーション情報を表わす前記１つ又は複数の電子信号を得ることは、通信ネットワークを介して、前記位置及び／又はナビゲーション情報を表わす前記１つ又は複数の電子信号の少なくとも一部を受信することを具備する、Ｃ１に記載の方法。
［Ｃ９］  ローカル・マップ情報を表わす前記１つ又は複数の電子信号を得ることは、
前記携帯用電子デバイスと関連する推定された位置情報に少なくとも部分的に基づいて、ローカル・マップ情報を表わす前記１つ又は複数の電子信号を得ることを具備する、Ｃ１に記載の方法。
［Ｃ１０］  前記携帯用電子デバイスと関連する前記推定された位置情報は、１つ又は複数の衛星測位システム（ＳＰＳ）信号に少なくとも部分的に基づく、Ｃ９に記載の方法。
［Ｃ１１］  前記携帯用電子デバイスの位置における、あるいはその近くの、少なくとも１つの可視環境特徴に対応するセンサリー入力情報を得るための手段と、ここにおいて前記少なくとも１つの可視環境特徴は、人間可読情報を具備する；
ローカル・マップ情報を得るための手段と、前記ローカル・マップ情報は、前記センサリー入力情報に少なくとも部分的に基づいている；
前記ローカル・マップ情報に少なくとも部分的に基づいて、位置及び／又はナビゲーション情報を得るための手段と；
を具備する装置。
［Ｃ１２］  画像情報を記録するための手段を更に具備し、ここにおいて前記センサリー入力情報の少なくとも一部は、前記画像情報を具備する、
Ｃ１１に記載の装置。
［Ｃ１３］  音声情報を記録するための手段を更に具備し、ここにおいて前記センサリー入力情報の少なくとも一部は、前記音声情報を具備する、
Ｃ１１に記載の装置。
［Ｃ１４］  画像情報及び／又は音声情報のうちの少なくとも１つに、少なくとも部分的に基づいて、テキストのメタデータを決定するための手段と、
前記テキストのメタデータに少なくとも部分的に基づいて、前記センサリー入力情報を生成するための手段と、
を更に具備する、Ｃ１１に記載の装置。
［Ｃ１５］  通信ネットワークを介して、前記テキストのメタデータの少なくとも一部を送信するための手段と、
前記通信ネットワークを介して、前記テキストのメタデータに少なくとも部分的に基づいて、前記センサリー入力情報の少なくとも一部を受信するための手段と、
を更に具備する、Ｃ１４に記載の装置。
［Ｃ１６］  通信ネットワークを介して、画像情報及び／又は音声情報のうちの少なくとも１つを送信するための手段と、
前記通信ネットワークを介して、前記ローカル・マップ情報の少なくとも一部を受信するための手段と、
を更に具備する、Ｃ１１に記載の装置。
［Ｃ１７］  通信ネットワークを介して、前記ローカル・マップ情報の少なくとも一部を受信するための手段、
を更に具備する、Ｃ１１に記載の装置。
［Ｃ１８］  通信ネットワークを介して、前記位置及び／又はナビゲーション情報の少なくとも一部を受信するための手段、
を更に具備する、Ｃ１１に記載の装置。
［Ｃ１９］  １つ又は複数の衛星測位システム（ＳＰＳ）信号に少なくとも部分的に基づいて、前記携帯用電子デバイスと関連する推定された位置情報を決定するための手段、
を更に具備する、Ｃ１１に記載の装置。
［Ｃ２０］  通信ネットワークを介して、前記推定された位置情報を送信するための手段、
を更に具備する、Ｃ１９に記載の装置。
［Ｃ２１］  携帯用電子デバイスであって、
メモリと、
前記メモリに結合される少なくとも１つのユーザ・インタフェース機構と、
前記携帯用電子デバイスの位置における、あるいはその近くの、少なくとも１つの可視環境特徴に対応するセンサリー入力情報を得るための命令と、ここにおいて前記少なくとも１つの可視環境特徴は、人間可読情報を具備する；
ローカル・マップ情報を得るための命令と、前記ローカル・マップ情報は、前記センサリー入力情報に少なくとも部分的に基づいている；
前記ローカル・マップ情報に少なくとも部分的に基づいて、位置及び／又はナビゲーション情報を得るための命令と；
前記ユーザ・インタフェース機構を介して、前記位置及び／又はナビゲーション情報の少なくとも一部のプレゼンテーションを開始するための命令と；
を用いてプログラムされ、前記ユーザ・インタフェース機構と前記メモリに結合される少なくとも１つの処理ユニットと、
を具備する、携帯用電子デバイス。
［Ｃ２２］  前記メモリ及び／又は前記少なくとも１つの処理ユニットのうちの少なくとも１つに結合されるカメラを更に具備し、前記少なくとも１つの処理ユニットは、前記カメラに画像情報を記録することを開始させる前記命令を用いて更にプログラムされ、ここにおいて前記センサリー入力情報は、前記画像情報の少なくとも一部を具備する、
Ｃ２１に記載の携帯用電子デバイス。
［Ｃ２３］  前記メモリ及び／又は前記少なくとも１つの処理ユニットのうちの少なくとも１つに結合されるマイクロホンを更に具備し、前記少なくとも１つの処理ユニットは、前記マイクロホンに音声情報を記録することを開始させる前記命令を用いて更にプログラムされ、ここにおいて前記センサリー入力情報は、前記音声情報の少なくとも一部を具備する、
Ｃ２１に記載の携帯用電子デバイス。
［Ｃ２４］  前記センサリー入力情報は、記録された画像情報及び／又は記録された音声情報のうちの少なくとも１つを具備し、前記少なくとも１つの処理ユニットは、
前記記録された画像情報及び／又は前記記録された音声情報のうちの少なくとも１つに、少なくとも部分的に基づいて、テキストのメタデータを決定するための前記命令と、
前記テキストのメタデータに少なくとも部分的に基づいて、前記センサリー入力情報を生成するための前記命令と、
を用いて更にプログラムされる、Ｃ２１に記載の携帯用電子デバイス。
［Ｃ２５］  前記メモリ及び／又は前記少なくとも１つの処理ユニットのうちの少なくとも１つに結合されるネットワーク・インタフェースを更に具備し、
ここにおいて、前記少なくとも１つの処理ユニットは、前記ネットワーク・インタフェースに、通信ネットワークを介して、前記テキストのメタデータの少なくとも一部を送信することを開始させる前記命令を用いて更にプログラムされ、
ここにおいて、前記ネットワーク・インタフェースは、前記通信ネットワークを介して、前記テキストのメタデータに少なくとも部分的に基づいて、前記センサリー入力情報の少なくとも一部を受信する、
Ｃ２４に記載の携帯用電子デバイス。
［Ｃ２６］  前記メモリ及び／又は前記少なくとも１つの処理ユニットのうちの少なくとも１つに結合されるネットワーク・インタフェースを更に具備し、
ここにおいて、前記少なくとも１つの処理ユニットは、ネットワーク・インタフェースに、通信ネットワークを介して、記録された画像情報及び／又は記録された音声情報のうちの少なくとも１つを送信することを開始させる前記命令を用いて更にプログラムされ、
ここにおいて、前記ネットワーク・インタフェースは、前記通信ネットワークを介して、前記ローカル・マップ情報の少なくとも一部を受信する、
Ｃ２１に記載の携帯用電子デバイス。
［Ｃ２７］  前記メモリ及び／又は前記少なくとも１つの処理ユニットのうちの少なくとも１つに結合されるネットワーク・インタフェースを更に具備し、前記ネットワーク・インタフェースは、通信ネットワークを介して、前記ローカル・マップ情報の少なくとも一部を受信するためのものである、
Ｃ２１に記載の携帯用電子デバイス。
［Ｃ２８］  前記メモリ及び／又は前記少なくとも１つの処理ユニットのうちの少なくとも１つに結合されるネットワーク・インタフェースを更に具備し、前記ネットワーク・インタフェースは、通信ネットワークを介して、前記位置及び／又はナビゲーション情報の少なくとも一部を受信するためのものである、
Ｃ２１に記載の携帯用電子デバイス。
［Ｃ２９］  前記メモリ及び／又は前記少なくとも１つの処理ユニットのうちの少なくとも１つに結合される衛星測位システム（ＳＰＳ）受信機を更に具備し、前記ＳＰＳ受信機は、１つ又は複数のＳＰＳ信号に少なくとも部分的に基づいて、前記携帯用電子デバイスの推定された位置情報を決定するためのものである、
Ｃ２１に記載の携帯用電子デバイス。
［Ｃ３０］  前記携帯用電子デバイスは、移動局を具備する、Ｃ２１に記載の携帯用電子デバイス。
［Ｃ３１］  コンピュータ・インプリメント可能な命令をその上に記憶するコンピュータ可読媒体を具備する物品であって、前記命令は、携帯用電子デバイス中の１つ又は複数の処理ユニットによって実行されることに応じて、前記携帯用電子デバイスに、
前記携帯用電子デバイスの位置における、あるいはその近くの、少なくとも１つの可視環境特徴に対応するセンサリー入力情報を得ることと、ここにおいて前記少なくとも１つの可視環境特徴は、人間可読情報を具備する；
ローカル・マップ情報を得ることと、前記ローカル・マップ情報は、前記センサリー入力情報に少なくとも部分的に基づいている；
前記ローカル・マップ情報に少なくとも部分的に基づいて、位置及び／又はナビゲーション情報を得ることと；
を可能にする、物品。
［Ｃ３２］  前記センサリー入力情報の少なくとも一部は、画像情報を具備し、前記コンピュータ・インプリメント可能な命令は、前記携帯用電子デバイス中の前記１つ又は複数の処理ユニットによって実行されることに応じて、前記携帯用電子デバイスに前記画像情報を記録することを更に可能にする、Ｃ３１に記載の物品。
［Ｃ３３］  前記センサリー入力情報の少なくとも一部は、音声情報を具備し、前記コンピュータ・インプリメント可能な命令は、前記携帯用電子デバイス中の前記１つ又は複数の処理ユニットによって実行されることに応じて、前記携帯用電子デバイスに前記音声情報を記録することを更に可能にする、Ｃ３１に記載の物品。
［Ｃ３４］  前記コンピュータ・インプリメント可能な命令は、前記携帯用電子デバイス中の前記１つ又は複数の処理ユニットによって実行されることに応じて、前記携帯用電子デバイスに、
画像情報及び／又は音声情報のうちの少なくとも１つに、少なくとも部分的に基づいて、テキストのメタデータを決定することと、
前記テキストのメタデータに少なくとも部分的に基づいて、前記センサリー入力情報を生成することと、
を更に可能にする、Ｃ３１に記載の物品。
［Ｃ３５］  前記コンピュータ・インプリメント可能な命令は、前記携帯用電子デバイス中の前記１つ又は複数の処理ユニットによって実行されることに応じて、前記携帯用電子デバイスに、
通信ネットワークを介して、前記テキストのメタデータの少なくとも一部の送信を開始することと、
前記通信ネットワークを介して得られる前記テキストのメタデータに少なくとも部分的に基づいて、前記センサリー入力情報の少なくとも一部にアクセスすることと、
を更に可能にする、Ｃ３４に記載の物品。
［Ｃ３６］  前記コンピュータ・インプリメント可能な命令は、前記携帯用電子デバイス中の前記１つ又は複数の処理ユニットによって実行されることに応じて、前記携帯用電子デバイスに、
通信ネットワークを介して、画像情報及び／又は音声情報のうちの少なくとも１つの送信を開始することと、
前記通信ネットワークを介して得られる前記ローカル・マップ情報の少なくとも一部にアクセスすることと、
を更に可能にする、Ｃ３１に記載の物品。
［Ｃ３７］  前記コンピュータ・インプリメント可能な命令は、前記携帯用電子デバイス中の前記１つ又は複数の処理ユニットによって実行されることに応じて、前記携帯用電子デバイスに、
通信ネットワークを介して得られる前記ローカル・マップ情報の少なくとも一部にアクセスすること、
を更に可能にする、Ｃ３１に記載の物品。
［Ｃ３８］  前記コンピュータ・インプリメント可能な命令は、前記携帯用電子デバイス中の前記１つ又は複数の処理ユニットによって実行されることに応じて、前記携帯用電子デバイスに、
通信ネットワークを介して得られる前記位置及び／又はナビゲーション情報の少なくとも一部にアクセスすること、
を更に可能にする、Ｃ３１に記載の物品。
［Ｃ３９］  前記コンピュータ・インプリメント可能な命令は、前記携帯用電子デバイス中の前記１つ又は複数の処理ユニットによって実行されることに応じて、前記携帯用電子デバイスに、
１つ又は複数の衛星測位システム（ＳＰＳ）信号に少なくとも部分的に基づいて得られる、前記携帯用電子デバイスと関連する推定された位置情報にアクセスすることと、
通信ネットワークを介して、前記推定された位置情報の送信を開始することと、
を更に可能にする、Ｃ３１に記載の物品。
［Ｃ４０］  前記コンピュータ・インプリメント可能な命令は、前記携帯用電子デバイス中の前記１つ又は複数の処理ユニットによって実行されることに応じて、前記携帯用電子デバイスに、
少なくとも１つのユーザ・インタフェース機構を介して、前記位置及び／又はナビゲーション情報の少なくとも一部のプレゼンテーションを開始すること、
を更に可能にする、Ｃ３１に記載の物品。
［Ｃ４１］  少なくとも１つのネットワーク・ベースの電子デバイスを用いて、
携帯用電子デバイスと関連するセンサリー入力情報を表わす１つ又は複数の電子信号を得ることと、前記センサリー入力情報は、前記携帯用電子デバイスの位置における、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得ることと；
通信ネットワークを介して、前記携帯用電子デバイスに前記ローカル・マップ情報の少なくとも一部を表わす１つ又は複数の電子信号を送信することと；
を具備する方法。
［Ｃ４２］  少なくとも１つのネットワーク・ベースの電子デバイスを用いて、
前記ローカル・マップ情報に少なくとも部分的に基づいて、位置及び／又はナビゲーション情報を得ることを更に具備し、
ここにおいて、前記ローカル・マップ情報の少なくとも一部を表わす前記１つ又は複数の電子信号は、前記位置及び／又はナビゲーション情報の少なくとも一部を更に具備する、
Ｃ４１に記載の方法。
［Ｃ４３］  前記センサリー入力情報は、記録された画像情報及び／又は記録された音声情報のうちの少なくとも１つを具備し、
少なくとも１つのネットワーク・ベースの電子デバイスを用いて、
前記記録された画像情報及び／又は前記記録された音声情報のうちの少なくとも１つに、少なくとも部分的に基づいて、テキストのメタデータを決定することと、
前記テキストのメタデータに少なくとも部分的に基づいて、前記ローカル・マップ情報を得ることと、
を更に具備する、Ｃ４１に記載の方法。
［Ｃ４４］  前記センサリー入力情報は、記録された画像情報及び／又は記録された音声情報のうちの少なくとも１つに、少なくとも部分的に基づいて、テキストのメタデータを具備する、Ｃ４１に記載の方法。
［Ｃ４５］  少なくとも１つのネットワーク・ベースの電子デバイスを用いて、
前記携帯用電子デバイスと関連する推定された位置情報を表わす１つ又は複数の電子信号を得ることと、
前記推定された位置情報に少なくとも部分的に基づいて、前記ローカル・マップ情報を得ることと、
を更に具備する、Ｃ４１に記載の方法。
［Ｃ４６］  前記携帯用電子デバイスと関連する前記推定された位置情報は、１つ又は複数の衛星測位システム（ＳＰＳ）信号に少なくとも部分的に基づく、Ｃ４５に記載の方法。
［Ｃ４７］  前記携帯用電子デバイスは、移動局を具備する、Ｃ４５に記載の方法。
［Ｃ４８］  携帯用電子デバイスと関連するセンサリー入力情報を表わす１つ又は複数の電子信号を得るための手段と、前記センサリー入力情報は、前記携帯用電子デバイスの位置における、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得るための手段と；
通信ネットワークを介して、前記携帯用電子デバイスに前記ローカル・マップ情報の少なくとも一部を表わす１つ又は複数の電子信号を送信するための手段と；
を具備する装置。
［Ｃ４９］  前記ローカル・マップ情報に少なくとも部分的に基づいて、位置及び／又はナビゲーション情報を得るための手段を更に具備し、
ここにおいて、前記ローカル・マップ情報の少なくとも一部を表わす前記１つ又は複数の電子信号は、前記位置及び／又はナビゲーション情報の少なくとも一部を更に具備する、
Ｃ４８に記載の装置。
［Ｃ５０］  前記センサリー入力情報は、記録された画像情報及び／又は記録された音声情報のうちの少なくとも１つを具備し、
前記記録された画像情報及び／又は前記記録された音声情報のうちの少なくとも１つに、少なくとも部分的に基づいて、テキストのメタデータを決定するための手段と、
前記テキストのメタデータに少なくとも部分的に基づいて、前記ローカル・マップ情報を得るための手段と、
を更に具備するＣ４８に記載の装置。
［Ｃ５１］  前記センサリー入力情報は、記録された画像情報及び／又は記録された音声情報のうちの少なくとも１つに、少なくとも部分的に基づいて、テキストのメタデータを具備する、Ｃ４８に記載の装置。
［Ｃ５２］  前記携帯用電子デバイスと関連する推定された位置情報を得るための手段と；
前記推定された位置情報に、少なくとも部分的に基づいて、前記ローカル・マップ情報を得るための手段と、
を更に具備する、Ｃ４８に記載の装置。
［Ｃ５３］  前記携帯用電子デバイスと関連する前記推定された位置情報は、１つ又は複数の衛星測位システム（ＳＰＳ）信号に少なくとも部分的に基づく、Ｃ５２に記載の装置。
［Ｃ５４］  前記携帯用電子デバイスは、移動局を具備する、Ｃ４８に記載の装置。
［Ｃ５５］  ネットワーク・ベースの電子デバイスであって、
メモリと、
ネットワーク・インタフェースと、
前記ネットワーク・インタフェースを介して受信される、携帯用電子デバイスと関連するセンサリー入力情報を得るための命令と、前記センサリー入力情報は、前記携帯用電子デバイスの位置における、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得るための命令と；
前記ネットワーク・インタフェースを介して、前記携帯用電子デバイスに前記ローカル・マップ情報の少なくとも一部の送信を開始するための命令と；
を用いてプログラムされ、前記ユーザ・インタフェースと前記メモリに結合される少なくとも１つの処理ユニットと、
を具備する、ネットワーク・ベースの電子デバイス。
［Ｃ５６］  前記少なくとも１つの処理ユニットは、
前記ローカル・マップ情報に少なくとも部分的に基づいて、位置及び／又はナビゲーション情報を得るための前記命令を用いて更にプログラムされ、
ここにおいて、前記ローカル・マップ情報の少なくとも一部を表わす前記１つ又は複数の電子信号は、前記位置及び／又はナビゲーション情報の少なくとも一部を更に具備する、
Ｃ５５に記載のネットワーク・ベースの電子デバイス。
［Ｃ５７］  前記センサリー入力情報は、記録された画像情報及び／又は記録された音声情報のうちの少なくとも１つを具備し、ここにおいて前記少なくとも１つの処理ユニットは、
前記記録された画像情報及び／又は前記記録された音声情報のうちの少なくとも１つに、少なくとも部分的に基づいて、テキストのメタデータを決定するための前記命令と；
前記テキストのメタデータに少なくとも部分的に基づいて、前記ローカル・マップ情報を得るための前記命令と；
を用いて更にプログラムされる、Ｃ５５に記載のネットワーク・ベースの電子デバイス。
［Ｃ５８］  前記センサリー入力情報は、記録された画像情報及び／又は記録された音声情報のうちの少なくとも１つに、少なくとも部分的に基づいて、テキストのメタデータを具備する、Ｃ５５に記載のネットワーク・ベースの電子デバイス。
［Ｃ５９］  前記少なくとも１つの処理ユニットは、
前記携帯用電子デバイスと関連する推定された位置情報を表わす１つ又は複数の電子信号を得るための前記命令と、
前記推定された位置情報に少なくとも部分的に基づいて、前記ローカル・マップ情報を得るための前記命令と、
を用いて更にプログラムされる、Ｃ５５に記載のネットワーク・ベースの電子デバイス。
［Ｃ６０］  前記携帯用電子デバイスと関連する前記推定された位置情報は、１つ又は複数の衛星測位システム（ＳＰＳ）信号に少なくとも部分的に基づく、Ｃ５９に記載のネットワーク・ベースの電子デバイス。
［Ｃ６１］  前記携帯用電子デバイスは、移動局を具備する、Ｃ５５に記載のネットワーク・ベースの電子デバイス。
［Ｃ６２］  コンピュータ・インプリメント可能な命令をその上に記憶するコンピュータ可読媒体を具備する物品であって、前記命令は、ネットワーク・ベースの電子デバイス中の１つ又は複数の処理ユニットによって実行されることに応じて、ネットワーク・ベースの電子デバイスに、
携帯用電子デバイスと関連するセンサリー入力情報を得ることと、前記センサリー入力情報は、前記携帯用電子デバイスにおける、あるいはその近くの、少なくとも１つの可視環境特徴に対応し、ここにおいて前記少なくとも１つの可視環境特徴は、人間可読情報を具備する；
前記センサリー入力情報に少なくとも部分的に基づいて、ローカル・マップ情報を得ることと；
通信ネットワークを介して、前記携帯用電子デバイスに前記ローカル・マップ情報の少なくとも一部の送信を開始することと；
を可能にする、物品。
［Ｃ６３］  前記コンピュータ・インプリメント可能な命令は、前記ネットワーク・ベースの電子デバイス中の前記１つ又は複数の処理ユニットによって実行されることに応じて、前記ネットワーク・ベースの電子デバイスに、
前記ローカル・マップ情報に少なくとも部分的に基づいて、位置及び／又はナビゲーション情報を得ることを更に可能にし、
ここにおいて、前記ローカル・マップ情報の少なくとも一部は、前記位置及び／又はナビゲーション情報の少なくとも一部を更に具備する、
Ｃ６２に記載の物品。
［Ｃ６４］  前記センサリー入力情報は、記録された画像情報及び／又は記録された音声情報のうちの少なくとも１つを具備し、前記コンピュータ・インプリメント可能な命令は、前記ネットワーク・ベースの電子デバイス中の前記１つ又は複数の処理ユニットによって実行されることに応じて、前記ネットワーク・ベースの電子デバイスに、
前記記録された画像情報及び／又は前記記録された音声情報のうちの少なくとも１つに、少なくとも部分的に基づいて、テキストのメタデータを決定することと、
前記テキストのメタデータに少なくとも部分的に基づいて、前記ローカル・マップ情報を得ることと、
を更に可能にする、Ｃ６２に記載の物品。
［Ｃ６５］  前記センサリー入力情報は、記録された画像情報及び／又は記録された音声情報のうちの少なくとも１つに、少なくとも部分的に基づいて、テキストのメタデータを具備する、Ｃ６２に記載の物品。
［Ｃ６６］  前記コンピュータ・インプリメント可能な命令は、前記ネットワーク・ベースの電子デバイス中の前記１つ又は複数の処理ユニットによって実行されることに応じて、前記ネットワーク・ベースの電子デバイスに、
前記携帯用電子デバイスと関連する推定された位置情報を表わす１つ又は複数の電子信号を得ることと、
前記推定された位置情報に少なくとも部分的に基づいて、前記ローカル・マップ情報を得ることと、
を更に可能にする、Ｃ６２に記載の物品。
［Ｃ６７］  前記携帯用電子デバイスと関連する前記推定された位置情報は、１つ又は複数の衛星測位システム（ＳＰＳ）信号に少なくとも部分的に基づく、
Ｃ６６に記載の物品。
［Ｃ６８］  前記携帯用電子デバイスは、移動局を具備する、Ｃ６２に記載の物品。
【外国語明細書】
2014240836000001.pdf